(57)【要約】【課題】小型化を図り、照度のムラを低減することを目的とする。【解決手段】配線部が形成された基板と、前記配線部上に配置された複数の発光素子とを備え、前記複数の発光素子は、第１方向にそれぞれ配列された第１〜４発光素子群を有し、これら発光素子群は第２方向に順に配列され、前記配線部は、第１及び第２接続部を有し、前記第１接続部は、前記第１及び第２発光素子群との間に配置され、前記第２接続部は、前記第３及び第４発光素子群との間に配置され、発光素子はワイヤによって接続されており、前記第２方向において、前記第２及び第３発光素子群との間隔は、前記第１接続部の幅及び第２接続部の幅よりも狭く、前記第１発光素子群で前記第２発光素子群の発光素子の数よりも多く、前記第４発光素子群で前記第３発光素子群の発光素子の数よりも多い発光装置。【選択図】図１Ａ
2019114702.tif 000002
【特許請求の範囲】
【請求項１】
配線部が形成された基板と、
前記配線部上に配置された複数の発光素子と、を備え、
前記複数の発光素子は、第１方向にそれぞれ配列された第１発光素子群、第２発光素子群、第３発光素子群及び第４発光素子群を有し、
前記第１発光素子群、第２発光素子群、第３発光素子群及び第４発光素子群は、前記第１方向とは異なる第２方向に順に配列され、
前記配線部は、第１接続部と第２接続部とを有しており、
前記第１接続部は、前記第１発光素子群と第２発光素子群との間に配置され、前記第１発光素子群の発光素子及び前記第２発光素子群の発光素子とワイヤによって接続されており、
前記第２接続部は、前記第３発光素子群と前記第４発光素子群との間に配置され、前記第３発光素子群の発光素子及び前記第４発光素子群の発光素子とワイヤによって接続されており、
前記第２方向において、前記第２発光素子群と第３発光素子群との間隔は、前記第１接続部の幅及び第２接続部の幅よりも狭く、
前記第１発光素子群の発光素子の数が、前記第２発光素子群の発光素子の数よりも多く、前記第４発光素子群の発光素子の数が、前記第３発光素子群の発光素子の数よりも多い発光装置。
【請求項２】
前記第１発光素子群の発光素子の数が、前記第３発光素子群の発光素子の数よりも多く、前記第４発光素子群の発光素子の数が、前記第２発光素子群の発光素子の数よりも多い請求項１に記載の発光装置。
【請求項３】
前記第２方向において、前記第１発光素子群と前記第２発光素子群とは、前記第１発光素子群における発光素子間の間隔である第１領域が、前記第２発光素子群における発光素子間の間隔である第２領域とずれるように配置されている請求項１又は２に記載の発光装置。
【請求項４】
前記第２方向において、前記第３発光素子群と前記第４発光素子群とは、前記第３発光素子群における発光素子間の間隔である第３領域が、前記第４発光素子群における発光素子間の間隔である第４領域とずれるように配置されている請求項１から３のいずれか一項に記載の発光装置。
【請求項５】
前記請求項１から４のいずれか一項に記載の発光装置が前記第２方向に複数配列されており、
前記第１発光素子群と、前記第１発光素子群に対して前記第１接続部と反対側に位置する前記基板の外縁との距離が、前記第１発光素子群と前記第２発光素子群との距離よりも小さい発光モジュール。
【請求項６】
前記請求項１から４のいずれか一項に記載の発光装置が前記第２方向に複数配列されており、
前記第４発光素子群と、前記第４発光素子群に対して前記第２接続部と反対側に位置する前記基板の外縁との距離が、前記第３発光素子群と前記第４発光素子群との距離よりも小さい発光モジュール。
【発明の詳細な説明】
【技術分野】
【０００１】
本発明は、発光装置及び発光モジュールに関する。
【背景技術】
【０００２】
光源に発光素子を用いる発光装置は、種々の分野で使用されている。このような発光装置は、光源部と、この光源部を焦点とするように設けた反射鏡とを備え、光源部がユニット化されて反射鏡に対して位置を調整できるように着脱自在に構成されている（特許文献１）。
光源部において、配線基板に複数の発光素子を並べた発光装置が提案されている（特許文献２及び３）。また、長方形の基板の長手方向に発光素子を並べ、その両端部の照度低下を防止するために、両端部における発光素子の数を増加させた配置が提案されている（特許文献４）。
【先行技術文献】
【特許文献】
【０００３】
【特許文献１】特開２０１６−１６４８７１号公報
【特許文献２】特開２００５−９３０９７号公報
【特許文献３】ＷＯ２０１４／２１０３０
【特許文献４】特開２０１６−１５７８８９
【発明の概要】
【発明が解決しようとする課題】
【０００４】
光源として、より小型であり、より照度が均一なものが求められている。
本発明は、上記課題を解決するためになされたものであり、小型化を図り、照度のムラを低減することができる発光装置及び発光モジュールを提供することを目的とする。
【課題を解決するための手段】
【０００５】
本願は以下の発明を含む。
【発明の効果】
【０００６】
本発明の実施形態における発光装置及び発光モジュールによれば、より小型化を図り、より一層照度のムラを低減することができる。
【図面の簡単な説明】
【０００７】
【図１Ａ】本発明の実施形態の発光装置の概略斜視図である。
【図１Ｂ】図１Ａの発光装置の平面図である。ただし、ワイヤは省略して示している。
【図１Ｃ】本発明の別の実施形態の発光装置の平面図である。ただし、ワイヤは省略して示している。
【図２】図１Ａの発光装置における基板の平面図である。
【図３】本発明の実施形態の発光モジュールを示す平面図である。
【図４】本発明の実施形態の発光モジュールの使用した光源の分解斜視図である。
【図５Ａ】図４の光源を用いた場合のシミュレーションによる照度分布図である。
【図５Ｂ】比較例として発光素子を等間隔で配置した発光モジュールを示す平面図である。
【図５Ｃ】図５Ｂの発光モジュールを用いた光源を使用した場合のシミュレーションによる照度分布図である。
【発明を実施するための形態】
【０００８】
以下、本発明に係る発光装置及び発光モジュールの実施形態を説明する。なお、以下の説明において参照する図面は、本実施形態を概略的に示したものであるため、各部材のスケール、間隔、位置関係等が誇張又は部材の一部の図示が省略されている場合がある。また、以下の説明では、同一の名称および符号については原則として同一もしくは同質の部材を示しており、詳細説明を適宜省略する。
【０００９】
実施形態１：発光装置
この実施形態の発光装置１０は、図１Ａ及び１Ｂに示すように、その一表面に配線部２、３が形成された基板１と、配線部２、３上に配置された複数の発光素子１１ａ、１２ａ、１３ａ、１４ａ・・・とから構成される。
このように、複数の発光素子を並べることにより、所望の長さ及び大きさで、意図する照度を有する発光装置を得ることができる。
【００１０】
（基板１）
基板１は、発光素子を載置するためのものであり、表面が平坦な板状部材によって構成されている。基板１は絶縁性、導電性又はこれらを組み合わせたものの単層構造及び積層構造のいずれであってもよい。基板１の形状は適宜設定することができるが、例えば、四角形が好ましく、長方形がより好ましい。例えば、基板１の大きさは数ｍｍ〜数十センチ×数ｍｍ〜数十センチが挙げられる。
図１Ａにおいては、基板１は、例えば、９×１８ｍｍの長方形である。
【００１１】
（配線部２、３）
基板１の一表面には、図２に示すように、配線部２、３が配置されている。配線部２、３は、導電性の材料によって、所定の形状で配置されている。配線部２、３は、正負に対応して少なくとも一対配置されている。配線部２、３の形状は適宜設定することができ、それぞれ、基板１上に部分的に形成されている。この一対のいずれかの配線部、例えば、正又は負に対応する配線部２は、第１接続部２ａと第２接続部２ｂとを有する。第１接続部２ａと第２接続部２ｂは、互いに平行に、かつ基板１の一対の辺に対して平行に延長していることが好ましい。第１接続部２ａと第２接続部２ｂとは、基板１の一端側で連結している。ただし、第１接続部２ａ及び第２接続部２ｂは、全体として平行に延長している部分を有していればよく、その一辺が直線でなくてもよく、湾曲していてもよいし、凹凸を有していてもよい。第１接続部２ａ及び第２接続部２ｂの幅及び長さは適宜設定することができ、例えば、基板１の幅の３〜２０％程度が挙げられ、基板の長さの２０〜９０％程度が挙げられる。第１接続部２ａ及び第２接続部２ｂが連結した部位の幅及び長さは、例えば、基板１の幅の８０〜１００％程度が挙げられ、基板の長さの１０〜８０％程度が挙げられる。
【００１２】
配線部３は、第１接続部２ａの外側、第２接続部２ｂの外側、第１接続部２ａと第２接続部２ｂとの間に配置されている。これらは、第１接続部２ａ及び第２接続部２ｂに対して、全体として互いに平行に配置されており、かつ、基板１の一対の辺に対して略平行に延長している。また、これらは、基板１の他端側で連結している。ただし、配線部３は、全体として平行に延長している部分を有していればよく、その一辺が直線でなくてもよく、湾曲していてもよいし、凹凸を有していてもよい。第１接続部２ａ及び第２接続部２ｂに沿って延長する部位の幅及び長さは、例えば、基板１の幅の３〜２０％程度が挙げられ、基板の長さの２０〜９０％程度が挙げられる。これらの延長する部位が連結した部位の幅及び長さは、例えば、基板１の幅の８０〜１００％程度が挙げられ、基板の長さの１０〜８０％程度が挙げられる。
【００１３】
具体的には、図１Ａ、１Ｂに示すように、第１接続部２ａは、後述する第１発光素子群と第２発光素子群との間に配置され、その幅Ｗ１は、０．７ｍｍである。第２接続部２ｂは、後述する第３発光素子群と第４発光素子群との間に配置されており、その幅Ｗ２は、０．７ｍｍである。第１接続部２ａの幅と第２接続部２ｂの幅とは、異なっていてもよいが、同じであることが好ましい。これにより、後述するように、ワイヤが配置される接続部の幅を最小限に留めることができ、発光装置の小型化を図ることができる。
また、配線部３の第１接続部２ａ及び第２接続部２ｂに沿って延長する部位のうち、後述する第１発光素子群及び第４発光素子群が配置される部位の幅は、後述する発光素子を載置できるものであればよく、例えば、１．４ｍｍである。第１接続部２ａ及び第２接続部２ｂの間に配置する部位は、幅Ｗ１及び／又はＷ２の２倍以上であることが好ましく、３ｍｍである。
【００１４】
配線部２、３は、基板１の一表面に対して、大きな面積で形成されていることが好ましい。これにより、放熱性及び反射性を向上させることができる。例えば、配線部２、３の基板１の一対の一辺に対向する端部と、基板１の一辺との距離Ｗ１１、Ｗ１２は、第１接続部２ａの幅Ｗ１及び／又は第２接続部２ｂの幅Ｗ２よりも小さいことが好ましい。
図１Ｂにおいては、Ｗ１１は０．５ｍｍであり、Ｗ１２は０．５ｍｍである。
【００１５】
配線部２、３は、その一部領域において、基板１の表面を露出する貫通孔３ｃ等を有していてもよい。このような貫通孔３ｃ等は、位置決め等のマークに利用することができる。
なお、配線層２は、第１接続部２ａ及び第２接続部２ｂ以外の表面が、被覆層によって被覆されていてもよい。また、配線部３は、発光素子が載置される領域以外の表面が、被覆層によって被覆されていてもよい。被覆層は、例えば、樹脂等によって形成することができる。
【００１６】
（発光素子）
発光素子１１ａ、１２ａ、１３ａ、１４ａ・・・は、配線部２上に複数、列状に配置されている。列の数は、適宜設定することができ、２列以上であればよく、３列又は４列であることが好ましい。
【００１７】
例えば、図１Ａ、１Ｂに示すように、第１方向にそれぞれ配列された第１発光素子群１１、第２発光素子群１２、第３発光素子群１３及び第４発光素子群１４を有している。これら第１発光素子群１１、第２発光素子群１２、第３発光素子群１３及び第４発光素子群１４は、第１方向とは異なる第２方向に順に配列されている。ここで、第２方向は、第１方向と交差する方向であればよく、直交する方向であることが好ましい。ここでは、第１方向及び第２方向を、例えば、それぞれＹ方向及びＸ方向と称する。
【００１８】
第１発光素子群１１、第２発光素子群１２、第３発光素子群１３及び第４発光素子群１４にそれぞれ属する発光素子は、２以上であればよく、各群において同じ数であってもよいし、異なる数であってもよい。なかでも、第１発光素子群の発光素子の数が、第２発光素子群及び／又は第３発光素子群の発光素子の数よりも多いことが好ましく、第４発光素子群の発光素子の数が、第３発光素子群及び／又は第２発光素子群の発光素子の数よりも多いことが好ましく、第１発光素子群の発光素子の数が、第２発光素子群及び／又は第３発光素子群の発光素子の数よりも多く、かつ第４発光素子群の発光素子の数が、第３発光素子群及び／又は第２発光素子群の発光素子の数よりも多いことがより好ましい。また、第１発光素子群１１及び第４発光素子群１４が同じ数であることが好ましく、第２発光素子群１２及び第３発光素子群１３が同じ数であることが好ましく、第１発光素子群１１及び第４発光素子群１４が同じ数であり、かつ第２発光素子群１２及び第３発光素子群１３が同じ数であることがより好ましい。各列において配列されている発光素子は、適宜設定することができ、例えば、２以上であればよく、３又は４であることが好ましい。例えば、第１発光素子群１１及び第４発光素子群１４において配列されている発光素子は、４〜８が挙げられ、４〜６が好ましい。第２発光素子群１２及び第３発光素子群１３に配列されている発光素子は、３〜７が挙げられ、３〜５が好ましい。
【００１９】
一実施形態では、図１Ａ、１Ｂに示すように、第１発光素子群１１及び第４発光素子群１４は、５つの発光素子を有し、第２発光素子群１２及び第３発光素子群１３は、４つの発光素子を有する。ここで、各発光素子は、例えば、１．４×１．４ｍｍである。
【００２０】
第１発光素子群１１は、隣接する第２発光素子群１２と所定の間隔をあけて配置されている。同様に、第２発光素子群１２と隣接する第３発光素子群１３とは所定の間隔をあけて配置されており、第３発光素子群１３と隣接する第４発光素子群１４とは所定の間隔をあけて配置されている。これらの間隔は、列全体にわたって異なっていてもよいが、同じであることが好ましい。
【００２１】
例えば、図１Ｂに示すように、Ｘ方向において、第２発光素子群１２と隣接する第３発光素子群１３との間隔Ｄ２３は、第１発光素子群１１と隣接する第２発光素子群１２との間隔Ｄ１２よりも狭いことが好ましい。間隔Ｄ２３は、第３発光素子群１３と隣接する第４発光素子群１４との間隔Ｄ３４よりも狭いことが好ましい。間隔Ｄ１２と間隔Ｄ３４とは異なっていてもよいが、同じであることが好ましい。間隔Ｄ１２及び間隔Ｄ３４は、列内で隣接する発光素子間の間隔よりも広いことが好ましい。間隔Ｄ２３は、列内で隣接する発光素子間の間隔よりも広くても、狭くても、同じでもよいが、同じであることが好ましい。
【００２２】
例えば、図１Ｂにおいては、Ｄ１２は１．１ｍｍであり、Ｄ２３は０．２ｍｍであり、Ｄ３４は１．１ｍｍである。各発光素子群における隣接する発光素子の間隔Ｗは０．２ｍｍである。
【００２３】
第１発光素子群１１と、第１発光素子群に対して第１接続部と反対側に位置する基板の外縁との距離Ｄ１は、例えば、間隔Ｄ１２、間隔Ｄ２３、間隔Ｄ３４のいずれかと同じでもよいし、何れに対しても異なっていてもよく、適宜設定することができる。例えば、距離Ｄ１は、間隔Ｄ１２よりも小さいことが好ましく、間隔Ｄ１２の半分又は半分以下であることがより好ましい。同様に、第４発光素子群１４と、第４発光素子群に対して第２接続部と反対側に位置する基板の外縁との距離Ｄ４は、例えば、間隔Ｄ３４のいずれかと同じでもよいし、何れに対しても異なっていてもよく、適宜設定することができる。例えば、距離Ｄ４は、間隔Ｄ３４よりも小さいことが好ましく、間隔Ｄ３４の半分又は半分以下であることがより好ましい。
距離Ｄ１と距離Ｄ４とは異なっていてもよいが、同じであることが好ましい。
このような間隔に設定することによって、後述する複数の基板を配列した発光モジュールを構成する場合に、照度ムラを防止することができ、発光モジュール全体において、より均一な照度を得ることができる。
図１Ｂにおいて、距離Ｄ１は０．５ｍｍであり、距離Ｄ４は、０．５ｍｍである。
【００２４】
第１発光素子群１１を構成する発光素子の間隔は、それぞれ異なっていてもよいが、等しいことが好ましい。この発光素子間の領域を、例えば、第１領域Ｒ１と称する。
第２発光素子群１２を構成する発光素子の間隔は、それぞれ異なっていてもよいが、等しいことが好ましい。この発光素子間の領域を、例えば、第２領域Ｒ２と称する。
第３発光素子群１３を構成する発光素子の間隔は、それぞれ異なっていてもよいが、等しいことが好ましい。この発光素子間の領域を、例えば、第３領域Ｒ３と称する。
第４発光素子群１４を構成する発光素子の間隔は、それぞれ異なっていてもよいが、等しいことが好ましい。この発光素子間の領域を、例えば、第４領域Ｒ４と称する。
【００２５】
第１領域Ｒ１は、第４領域Ｒ４と異なる大きさであってもよいが、同じ大きさであることが好ましい。
第２領域Ｒ２は、第３領域Ｒ３と異なる大きさであってもよいが、同じ大きさであることが好ましい。
基板の側方から見た場合、第１領域Ｒ１と第２領域Ｒ２とは、図１Ｂに示すように、ずれるように配置されていることが好ましい。この場合、第２領域Ｒ２は、第１発光素子群１１を構成する発光素子１１ａに重なっていることが好ましく、第１発光素子群１１を構成する発光素子１１ａの中央部分に重なっていることがより好ましい。同様に、第３領域Ｒ３と第４領域Ｒ４とは、ずれるように配置されていることが好ましい。この場合、第３領域Ｒ３は、第４発光素子群１４を構成する発光素子１４ａに重なっていることが好ましく、第４発光素子群１４を構成する発光素子１４ａの中央部分に重なっていることがより好ましい。
また、図１Ｃに示した発光装置１０Ｘに示すように、基板の側方から見た場合、第１領域Ｒ１と第２領域Ｒ２とは重なっていてもよい。この場合、例えば、各発光素子群において、Ｙ方向に配列する発光素子のうちの一番端の発光素子が、一端で直線を描くように配置されていることを意味する。同様に、第３領域Ｒ３と第４領域Ｒ４とは、重なっていてもよい。この場合、例えば、各発光素子群において、Ｙ方向に配列する発光素子のうち一番端の発光素子が、一端で直線を描くように配置されていることを意味する。
【００２６】
発光素子１１ａ、１２ａ、１３ａ、１４ａ・・・は、配線部２、３と電気的に接続されている。配線部との電気的な接続は直列接続であっても、並列接続であっても、これらの組み合わせであってもよいが、並列接続が好ましい。これにより、各発光素子に同じ電流を供給することができ、照度を均一にすることができる。
発光素子は、配線部を跨いでフリップチップ実装によって、半田等の接合材を介して接続されていてもよいが、図１Ａに示すように、ワイヤによって接続部と電気的に接続されていることが好ましい。この場合のワイヤボンディングの位置は、適宜設定することができる。
【００２７】
例えば、図１Ａに示すように、例えば、第１発光素子群１１と第２発光素子群１２との間に配置された第１接続部２ａは、第１発光素子群１１の発光素子１１ａ・・・及び第２発光素子群１２の発光素子１２ａ・・・と、それぞれワイヤによって接続されている。つまり、第１接続部２ａ上には、発光素子１１ａ・・・及び発光素子１２ａ・・・と接続されたワイヤの接続点が配置されている。
第３発光素子群１３と第４発光素子群１４との間に配置された第２接続部２ｂは、第３発光素子群１３の発光素子１３ａ・・・及び第４発光素子群１４の発光素子１４ａ・・・とワイヤによって接続されている。つまり、第２接続部２ｂ上には、発光素子１３ａ・・・及び発光素子１４ａ・・・と接続されたワイヤの接続点が配置されている。
このような発光素子のワイヤによる接続によって、Ｙ方向における発光素子群の隣接する発光素子間において、ワイヤボンディングのための間隔を設ける必要がなくなるため、全体として、配線部２、３の間隔を狭めることができる。また、第１発光素子群１１の発光素子１１ａに接続するワイヤと、第２発光素子群１２の発光素子１２ａに接続するワイヤを第１接続部２ａに集約し、第３発光素子群１３の発光素子１３ａに接続するワイヤと、第４発光素子群１４の発光素子１４ａに接続するワイヤを第２接続部２ｂに集約することにより、第１発光素子群１１を構成する発光素子１１ａと基板の対向する辺との間、第４発光素子群１４を構成する発光素子１４ａと基板の対向する辺との間、及び第２発光素子群１２を構成する発光素子１２ａと第３発光素子群１３を構成する発光素子１３ａとの間において、ワイヤボンディングのための間隔を設ける必要がなくなるため、配線２、３の幅を狭めることができる。その結果、基板の幅を縮小することができ、発光装置の小型化を図ることができる。
【００２８】
発光素子は、当該分野で公知の半導体発光素子のいずれをも用いることができる。具体的には、例えば、III-V族化合物半導体、II-VI族化合物半導体等、窒化物半導体（ＩｎXＡｌYＧａ1-X-YＮ、０≦Ｘ、０≦Ｙ、Ｘ＋Ｙ≦１）、具体的には、ＩｎXＡｌYＧａ1-X-YＮ（０≦Ｘ、０≦Ｙ、Ｘ＋Ｙ≦１）等の窒化物半導体等、種々の半導体による発光素子が挙げられる。このような発光素子の発光波長は、用途等によって適宜設定することができる。なかでも、紫外線を照射するものが好ましい。
発光素子は、一面に正負の両電極が配置されてもよいが、異なる面にそれぞれ一方が配置されたものが好ましい。これにより、一面は、発光素子を配線部に載置することにより、例えば、半田等の接合部材により固定するとともに電気的接続を図り、他面は、上述したようにワイヤボンドにより、接続部と電気的接続を取ることができる。
【００２９】
実施形態２：発光モジュール
この実施形態の発光モジュール２０は、図３に示したように、上述した発光装置１０が、第２方向（Ｘ方向）に複数配列されている。この場合、Ｘ方向に延びる複数の基板の辺は、略直線状に配置されていることが好ましいが、用いる反射部材等によって、略階段状等に配置されていてもよい。
図３においては、例えば、９個配列している。
このように、複数の発光装置１０を一列に並べることにより、所望の長さ、大きさの発光モジュール２０とすることができ、光度、輝度等を適宜調整することができる。
発光モジュール２０においては、隣接する基板１同士は、接触していてもよいし、離間していてもよい。なかでも、若干離間する程度が好ましく、基板１間の距離が数ｍｍ程度であることがより好ましい。
【００３０】
このような発光モジュールにおいては、隣接する発光装置（図３では、例えば、１０Ａ及び１０Ｂ）は、Ｘ方向において、発光装置１０Ｂの第１発光素子群１１と、発光装置１０Ａの第４発光素子群１４との間において、第１発光素子群と基板１の外縁との距離（図１ＢにおけるＤ１）、第４発光素子群と基板１の外縁との距離（図１ＢにおけるＤ４）のそれぞれが、第１発光素子群１１と隣接する第２発光素子群１２との間隔（図１ＢにおけるＤ１２）、第３発光素子群１３と隣接する第４発光素子群１４との間隔（図１ＢにおけるＤ３４）のいずれよりも狭いことが好ましい。
【００３１】
また、隣接する発光装置（図３では、例えば、１０Ｂ及び１０Ｃ）は、Ｘ方向において、発光装置１０Ｂの第４発光素子群１４と、発光装置１０Ｃの第１発光素子群１１との間において、第１発光素子群と基板１の外縁との距離（図１ＢにおけるＤ１）、第４発光素子群と基板１の外縁との距離（図１ＢにおけるＤ４）のそれぞれが、第１発光素子群１１と隣接する第２発光素子群１２との間隔（図１ＢにおけるＤ１２）、第３発光素子群１３と隣接する第４発光素子群１４との間隔（図１ＢにおけるＤ３４）のいずれよりも狭いことが好ましい。
【００３２】
このような幅に設定することにより、隣接する発光装置との間の照度ムラを低減することができ、発光モジュール全体において、均一な照度を得ることができる。
【００３３】
このような発光モジュール２０は、例えば、図４に示すように、光源３０に用いることができる。この光源３０では、９個の発光装置１０がＸ方向に一列に配列された発光モジュール２０が、設置台３２の奥側に配置されており、発光モジュールの上方から前方に向かって設置台３２を被覆する反射部３１が、設置台３２上に配置されて構成されている。反射部３１は、設置台３２に、例えば、ビスによって固定されている。
反射部３１は、Ｘ方向に直交する断面形状が放物線の形状等であることが挙げられる。
設置台３２は、金属（例えば、銅、アルミニウム）、窒化アルミをはじめとするセラミックス、カーボン等の熱伝導性が高い材料から構成されていることが好ましい。これにより、設置台３２は、発光モジュール２０の発熱を効率的に放熱することができる。
【００３４】
上述した図４に示す光源３０を使ったシミュレーションによる照度分布図を図５Ａに示す。照度（Ｗ／ｍｍ2）は、光源３０から１００ｍｍの距離に位置する照射面における照度を表す。
なお、比較のために、図５Ｂに示すように発光素子を、Ｘ方向に等間隔で配列させた、さらに、Ｘ方向に垂直な方向に等間隔で配列させた光源（合計発光素子数：３２×４コ）を準備した。この光源を用いて、上記と同様にシミュレーションを行った。その照度分布図を図５Ｃに示す。
これらの結果から、発光モジュールを用いた光源３０においては、Ｙ方向における照度ムラを低減することができることがわかる。
【産業上の利用可能性】
【００３５】
本発明に係る実施形態の発光装置及び発光モジュールは、各種波長の照射装置（例えば、紫外線照射装置）、照明用装置、車載用発光装置などに利用することができる。
【符号の説明】
【００３６】
１    基板
２    配線部
２ａ    第１接続部
２ｂ    第２接続部
３    配線部
３ｃ    貫通孔
１０    発光装置
１０Ａ、１０Ｂ、１０Ｃ、１０Ｘ    発光装置
１１    第１発光素子群
１１ａ、１２ａ、１３ａ、１４ａ    発光素子
１２    第２発光素子群
１３    第３発光素子群
１４    第４発光素子群
２０    発光モジュール
３０    光源
３１    反射部
３２    設置台
Ｄ１    距離
Ｄ４    距離
Ｒ１    第１領域
Ｒ２    第２領域
Ｒ３    第３領域
Ｒ４    第４領域
Ｗ    間隔
Ｗ１１    距離
Ｗ１２    距離
【図１Ａ】
2019114702.tif 000003
【図１Ｂ】
2019114702.tif 000004
【図１Ｃ】
2019114702.tif 000005
【図２】
2019114702.tif 000006
【図３】
2019114702.tif 000007
【図４】
2019114702.tif 000008
【図５Ａ】
2019114702.tif 000009
【図５Ｂ】
2019114702.tif 000010
【図５Ｃ】
2019114702.tif 000011